(57)【要約】【課題】大きなスペースを必要とせずコンパクトに構成して、簡単にドラムを収納したり又は機械に搬送したりできるドラム架台を提供すること。【解決手段】ドラム架台１は枠状に形成する架台本体２とキャスター８を備えている。架台本体２には補助台車１０を挿通するための開放部を形成し、架台本体２の前面部を地面に接触させたり離隔させたりする接地部３１を形成する。ドラム２０を架台本体２内に収納する場合は、架台本体２を前傾させて接地部３１を地面に接触する。この状態で補助台車１０をドラム架台１に連結する。補助台車１０をドラム架台１に連結する際には、前傾状態の架台本体２を持ち上げると同時に上下左右の４箇所で連結する。【選択図】図１０
2008094610.tif 000002
【特許請求の範囲】
【請求項１】
軸体にワークが巻線されたドラムを収納するドラム架台であって、
前記ドラムを収納するドラム収納部の周りに側壁・後壁を有して枠状に形成されている架台本体と、前記架台本体を支持するキャスターと、を有し、
前記架台本体の一方は、前記ドラムを前記ドラム収納部に挿通するための開放部が形成され、
前記架台本体の開放部側端部には、地面と接触可能な接地部が形成され、
前記架台本体の上部には、前記ドラムの軸体が回動して搬送される支持面が形成されているとともに、前記支持面には前記ドラムを位置決めする位置決め支持部が形成され、
前記架台本体が、前記キャスターを中心にして前記接地部を地面に接触する位置と前記設置部を地面から離隔する位置とに揺動可能に形成されていることを特徴とするドラム架台。
【請求項２】
前記架台本体の開放部には、前記開放部と対向するように補助台車が装着可能に配置され、前記架台本体が前記補助台車に連結機構で連結することによって搬送可能に構成されることを特徴とする請求項１記載のドラム架台。
【請求項３】
前記補助台車の前記連結機構には、前記架台本体の前部を持ち上げる第１の連結部と前記架台本体が持ち上げられることによって連結する第２の連結部が配設されていることを特徴とする請求項２記載のドラム架台。
【請求項４】
前記第１の連結部は、駆動レバーの操作によって上下方向に移動可能な移動金具を備えていることを特徴とする請求項３記載のドラム架台。
【請求項５】
前記架台本体の支持面には、前記ドラムの軸部を搬送する搬送ガイド部が配置されていることを特徴とする請求項１，２，３又は４のいずれかに記載のドラム架台。
【請求項６】
前記支持面の位置決め支持部が、Ｖ状溝部に形成されていることを特徴とする請求項１，２，３，４又は５記載のドラム架台。
【請求項７】
前記支持面がラック状に形成されるとともに、ラック状の前記支持面に前記ドラムに装着されるピニオンが係合可能に配設されていることを特徴とする請求項５記載のドラム架台。
【請求項８】
前記補助台車には、前記ドラムに巻装されたワークを巻き戻す際の案内手段が、前記ワークの走行方向に対して直交する方向に移動可能に配設されていることを特徴とする請求項２，３，４，５，６又は７のいずれかに記載のドラム架台。
【発明の詳細な説明】
【技術分野】
【０００１】
本発明は、電線ケーブルあるいはシート材等の長尺ワークを巻装するドラムを収納し、またドラムを機械内に供給するドラム架台に関する。
【背景技術】
【０００２】
電線やシート材等の長尺ワークはドラムに巻装してコンパクトなものとして収納している。しかし長尺ワークを巻装した１個のドラムは重量物となるだけでなく、ワークが解れないように両端部にフランジ部を有して形成されている。そのため、ワークを巻装したドラムを複数個倉庫内に収納する場合には、棚等を利用して保管することが難しく、また、積み上げて保管することも困難であることから、床面に転がした状態で配置せざるを得ないこととなっていた。そして、このドラムを倉庫内に保管したり機械内に搬送したりする場合、ドラムが円環状になっていることから、転がしながら移動させるか、フォークリフトやクレーンを使用して移動させていた。この作業は危険を伴うことと作業性が悪いことから、改良が求められていた。
【０００３】
また、電線やシート材等の材料をドラムから巻き戻す際には、一旦ドラムを横に寝かせて側長しながら巻き戻し、必要な長さで切断した後、ドラムを起して元に復帰させていた。この作業は労力がかかって作業性が極めて悪いことから、やはり改良が求められていた。
【０００４】
従来のドラム架台としては、単に収納するために倉庫内に固定状態で配置する枠状架台、あるいは特許文献１に記載されているような電線ドラムの立体格納装置が知られている。
【特許文献１】特開平６−２１９５１２号公報
【発明の開示】
【発明が解決しようとする課題】
【０００５】
しかし、従来のドラム架台のうち前者の場合は、ドラム架台自体が床面に据えられているため、電線ドラムを収納する場合に重量物の電線ドラムを持ち上げてドラム架台に載置することとなって多大な労力がかかっていた。
【０００６】
また後者の場合、電線ドラム立体格納装置は、スタッカクレーンに設置された伸縮フォークで格納ラック内と入出荷設備間で電線ドラムの直接入出荷作用を行い、入出荷作業の間に、出荷要求に対する分巻き量を有する電線ドラムを格納ラック内から第２の伸縮フォークでスタッカクレーン上に取り出して、スタッカクレーンの分巻き手段で処理を行うように構成されていた。そのため、設備が大掛かりとなって、大きな工場では必要となるものの、設備費用を大きくできない一般の小さい工場では設備費用が莫大にかかるとともに、設置するスペースも広い面積を必要としていた。
【課題を解決するための手段】
【０００７】
本発明は、上述の課題を解決するものであり、広いスペースを必要とせずに簡略に構成できるドラム架台であって、しかも、長尺状のワークを巻装したドラムを、労力をかけずに収納あるいは取り出しできるドラム架台を提供することを目的とする。そのために、本発明にかかわるドラム架台は、以下のように構成するものである。すなわち、
請求項１記載の発明では、軸体にワークが巻線されたドラムを収納するドラム架台であって、前記ドラムを収納するドラム収納部の周りに側壁・後壁を有して枠状に形成されている架台本体と、前記架台本体を支持するキャスターと、を有し、前記架台本体の一方は、前記ドラムを前記ドラム収納部に挿通するための開放部が形成され、前記架台本体の開放部側端部には、地面と接触可能な接地部が形成され、前記架台本体の上部には、前記ドラムの軸体が回動して搬送される支持面が形成されているとともに、前記支持面には前記ドラムを位置決めする位置決め支持部が形成され、前記架台本体が、前記キャスターを中心にして前記接地部を地面に接触する位置と前記設置部を地面から離隔する位置とに揺動可能に形成されていることを特徴とするものである。
【０００８】
請求項２記載の発明では、前記架台本体の開放部には、前記開放部と対向するように補助台車が装着可能に配置され、前記架台本体が前記補助台車に連結機構で連結することによって搬送可能に構成されることを特徴としている。
【０００９】
請求項３記載の発明では、前記補助台車の前記連結機構には、前記架台本体の前部を持ち上げる第１の連結部と前記架台本体が持ち上げられることによって連結する第２の連結部が配設されていることを特徴としている。
【００１０】
請求項４記載の発明では、前記第１の連結部は、駆動レバーの操作によって上下方向に移動可能な移動金具を備えていることを特徴としている。
【００１１】
請求項５記載の発明では、前記架台本体の支持面には、前記ドラムの軸部を搬送する搬送ガイド部が配置されていることを特徴としている。
【００１２】
請求項６記載の発明では、前記支持面の位置決め支持部が、Ｖ状溝部に形成されていることを特徴としている。
【００１３】
請求項７記載の発明では、前記支持面がラック状に形成されるとともに、ラック状の前記支持面に前記ドラムに装着されるピニオンが係合可能に配設されていることを特徴としている。
【００１４】
請求項８記載の発明では、前記補助台車には、前記ドラムに巻装されたワークを巻き戻す際の案内手段が、前記ワークの走行方向に対して直交する方向に移動可能に配設されていることを特徴としている。
【発明の効果】
【００１５】
本発明によれば、ドラム架台はワークが巻線されたドラムを収納する際は、架台本体の接地部を地面に接触するように傾ける。これによって、ドラムは傾斜された開放部から架台本体内のドラム収納部に向かって移動される。この際、ドラムは架台本体の支持面に沿ってその軸体が転がりながら移動する。ドラムはその軸体が位置決め支持部に到達することによってその位置で停止固定される。
【００１６】
そして、ドラムをドラム架台に収納した状態で保管する場合には、架台本体の接地部が地面に接触する状態で保管する。この際接地部とキャスターの少なくとも二点で地面に接触していることから、ドラム架台は静止状態にある。また、ドラム架台を移動する場合には、架台本体の接地部を地面から離隔することによってキャスターだけが地面に接触することになるから、キャスターが回動自在となってドラム架台を移動させることができる。
【００１７】
上述のように本発明のドラム架台は、架台本体を揺動させることによって、ワークを巻線したドラムを収納しやすくでき、収納作業を短時間で軽労力で行うことができる。しかも従来の単に倉庫内で収納するために製作された固定型の枠状架台を改良したものであるから、床面積を広く取ることなく設備費用も廉価にすることができる。
【００１８】
このドラム架台に収納されているドラムを機械内に搬送する場合、補助台車を架台本体の開放部に対向させてドラム架台を補助台車に連結させる。そして補助台車でドラム架台の前端部を持ち上げてドラム架台を搬送可能な状態にした上でドラム架台を牽引する。
【００１９】
架台本体と補助台車とを連結する際には、補助台車の移動金具を駆動レバーで上昇させることによって第１の連結部が架台本体の連結部に連結し、架台本体の前部が上昇して接地部が地面から離隔すると、補助台車の第２の連結部が補助台車に連結する。これによって、ドラムを収納したドラム架台を補助台車で搬送することができ、第１の連結部と第２の連結部で連結することによって、ドラム架台の搬送をバランスよく搬送することができる。これによって、ドラムを機械のどの位置でも容易に搬送させることが可能となる。
【００２０】
さらに、ドラムを架台本体内に移動する際には、ドラムの軸体が架台本体内の支持面に転動可能に構成されているか、あるいはラックとピニオンで係合させて移動可能に構成しているため、架台本体内に載置されたドラムを押し込むだけで容易に位置決め支持部に到達させて固定させることができる。特に、ラックとピニオンとの構成は、傾いた架台本体上に載置させたドラムを逆戻りさせることがないから安全に移動させることができる。
【００２１】
また、ドラム架台に収納されているドラムから、ワークを巻き戻す際、例えば、ワークが電線であれば、電線を巻き戻す際に左右に振れるため、左右方向に移動可能な案内手段を補助台車に設けることによって、電線がドラム幅内での横移動により他部材と接触して発生する被覆の損傷を防止することができる。
【発明を実施するための最良の形態】
【００２２】
次に、本発明における一形態のドラム架台を図面に基づいて説明する。なお、このドラム架台に収納されるドラムは、例えば工作機械の電線ケーブルを巻線する電線ドラムで説明する。また、ドラム架台の補助台車側をドラム架台の前方と(又は前側)といい、補助台車のドラム架台側を補助台車の前方(又は前側)という。
【００２３】
図１はドラム架台の斜視図を示すものであり、ドラム架台１は、ドラム収納部２ａを間にして前方に形成された開放部４と、開放部４の両側に配置される両側壁部３、３と、開放部４と対向する位置に配置される後壁５と、を備える枠状の架台本体２を有して構成されている。実施形態における両側壁部３、３及び後壁部５は、それぞれ、中央部に下枠状に形成され、両端部にはそれぞれ脚部が延設して形成されている。両側壁部３、３の前端側の脚部３ａは、後端側の脚部３ｂより長く形成されて、下端部が地面に接地可能な接地部３１、３１として形成されている。なお、後壁部５の脚部は両側壁部３、３の後端側の脚部３ｂとして形成されている。
【００２４】
両側壁部３、３及び後壁部５の内側面には、両側壁部３、３及び後壁部５の全周にわたって上部の位置と下部の位置にそれぞれ板状の補強板６、７が溶接にて固着されている。上方の補強板６は、両側壁部３の前面側において屈曲して下方端まで延設されている。
【００２５】
上方の補強板６の上面部は、電線ドラムの軸体が摺動する支持面６ａとして形成されるとともに、長さ方向の中央部においてＶ字状に屈曲した位置決め支持部６ｂとして形成されている。また、補強板６の左右における前面部６ｃには、後述の補助台車を装着する第１の連結部６１（上係止部６１という。）、第２の連結部６２（下係止部６２という。）がそれぞれ上下に一対設けられている。一対の連結部(上係止部６１、下係止部６２)は相対向する開口部を有して鉤状に形成されている。
【００２６】
下方の補強板７には、両側壁部３、３の中央部付近においてキャスター８が装着されている。キャスター８の下面は、両側壁部３、３の脚部３ａ及び接地部３１より下方の位置にある。そのため、接地部３１、３１は上下に揺動可能に構成される。
【００２７】
ドラム架台１の開放部４には補助台車１０が対向して出入可能に配置されている。補助台車１０は、図２〜３に示すように、ベース部１１と、ベース部１１の幅方向の両端部でベース部１１から立ち上がる２本の支柱部１２、１２と、各支柱部１２から上方に傾斜して配置されるコ字状の取手１３と、各支柱部１２、１２に対して上下方向に移動可能に配置される可動金具１４、１４と、可動金具１４、１４を上下移動させる駆動レバー部１５と、ベース１１に装着される複数（実施形態では３個）のキャスター１６とを備えて構成されている。
【００２８】
ベース部１１は、支柱部１２が立設する主板部１１１と主板部１１１から反ドラム架台側に突出する後側突出部１１２と、ドラム架台１側に突出する一対の前側突出部１１３、１１３と、前側突出部１１３、１１３の外側で主板部１１１、の両端部付近に配置されるとともにドラム架台１の下係止部６２に係止可能な第２の連結部１１４（以下、係止板１１４という。）と、が形成されている。キャスター１６は、後側突出部１１２と一対の前側突出部１１３、１１３の下面に装着されている。
【００２９】
可動金具１４は、図３に示すように、側板部１４１と天井板部１４２を有してＬ字状に形成され、側板部１４１には上下方向の２箇所に長孔１４３、１４３が形成されている。また、側板部１４１の前面(ドラム架台１側)には、ドラム架台１の上係止部６１に係合可能であってドラム架台１を持ち上げるための第１の連結部１７（架台持ち上げ部１７という。）が側板部１４１から両側外方に突出して形成されている。なお、側板部１４１には可動金具１４の長孔１４３、１４３を挿通する止め部材が装着され、可動金具１４の外側への倒れを防止している。
【００３０】
駆動レバー部１５は、両腕部が支柱部１２、１２の内側面にそれぞれ配置されたレバー軸１２１、１２１に回動可能に配置されて、一体的なコ字状に形成されている。両腕部１５１、１５１の先端部は可動金具１４の天井板部１４２に当接する円弧部１５２、１５２に形成されている。
【００３１】
次に、上記のように構成されたドラム架台１と補助台車１０の作用について説明する。図４〜５に示すように、電線ドラム２０をドラム収納部２ａに収納する場合、まず、架台本体２キャスター８を中心に前傾させて接地部３１を地面に接触させる。この状態で、電線ドラム２０を転がしながらドラム架台１の前方開放部４に対向させる。電線ドラムの２０の軸体２１の下面は、傾斜された架台本体２の支持面６ａの前端部と略同一の高さ位置にあり、手で電線ドラム２０を支持面６ａ上に載せる。軸体２１は真円に形成されており、電線ドラム２０は架台本体２内に挿入されるとともに、支持面６ａ上に載置された電線ドラム２０は軸体２１の滑動で架台本体２の中心部に向かって移動する。そして、位置決め支持部６ｂに到達すると軸体２１はＶ字状の溝に入り込むため、その位置で移動を停止する。これによって、電線ドラム２０はドラム収納部２ａに収納される。
【００３２】
電線ドラム２０が収納されたドラム架台１は、電線ドラム２０を使用しない場合には、接地部３１が地面に接触した状態で保管する。
【００３３】
なお、図６に示すように、図１に示す架台本体２の支持面６ａをラック状支持面６ｄに形成して電線ドラム２０の軸体２１にピニオン２２を装着して、電線ドラム２０をピニオン２２を介してラック状支持面６ｄで移動案内させることもできる。この場合、架台本体２が前傾した状態であっても、架台本体２に載置された電線ドラム２０が逆方向に戻ることもなく、安全にドラム架台１に収納することができる。
【００３４】
次に、ドラム架台１に収納されている電線ドラム２０を機械内に搬送して使用する場合、まず、図７に示すように、補助台車１０をドラム架台１の開放部４に対向させる。補助台車１０は、駆動レバー部１５を下方に傾斜した状態にある。駆動レバー部１５の下方に傾斜した状態では、図３に示すように、駆動レバー部１５の先端の円弧部１５２は、可動金具１４の天井板部１４２を押し上げることとなって、架台持ち上げ部１７が上方の位置に移動した位置にある。
【００３５】
ドラム架台１は、架台本体２が前傾した状態のままにあり、架台持ち上げ部１７の上面位置は、架台本体２の上係止部６１の下端より上方にある。また、ベース部１１の両端部に形成された係止板１１４の下端は架台本体２の係止板１１４の上端面より高い位置にある。そして、補助台車１０をドラム架台１に接近して補助台車１０の架台持ち上げ部１７が架台本体２の上係止部６１の直前まで移動すると補助台車１０の駆動レバー部１５を水平方向に回動させる。
【００３６】
この状態は、図８に示すように、駆動レバー部１５を支柱部１２のレバー軸１２１を中心にして回動して水平状態にすると、駆動レバー部１５の先端の円弧部１５２が可動金具１４の天井板部１４２との係合が解除される。この解除によって、可動金具１４は自重で落下し、架台持ち上げ部１７を下降させる。図９に示すように、この位置は、架台持ち上げ部１７の上面が、架台本体２の上係止部６１の下端面より下方に位置することから、補助台車１０を架台本体２の開放部４内に突入させる。この際、補助台車１０の係止板１１４が架台本体２の下係止部６２上を通ることから、補助台車１０の前側突出部１１３、１１３はドラム架台１内に挿入し、架台持ち上げ部１７と係止板１１４は、それぞれ、上係止部６１と下係止部６２を通過して係合待機状態となる。
【００３７】
次に、図１０に示すように、駆動レバー部１５を再び水平位置から下方位置に回動させると、駆動レバー部１５の円弧部１５２が可動金具１４の天井板部１４２を押し上げることとなって、架台持ち上げ部１７を上昇させる。架台持ち上げ部１７の上昇は架台本体２の上係止部６１と係止するとともに、さらなる上昇で架台本体２を持ち上げることとなる。架台本体２の持ち上げは、キャスター８を中心にして架台本体２を水平状態に回動させることとなり、接地部３１を地面から離隔させると同時に下係止部６２が上昇して補助台車１０の係止板１１４と係止させることとなる。
【００３８】
これによって、ドラム架台１は補助台車１０と連結することとなって、補助台車１０の取手１３の牽引により搬送される。この搬送は、補助台車３個のキャスター１６とドラム架台１の２個のキャスター８で誘導されることから容易に搬送することができる。
【００３９】
上述のように、実施形態のドラム架台１は、キャスター８を中心にして前後に揺動できることから、電線ドラム２０を収納する際には、架台本体２を前傾して接地部３１を地面に接触させて電線ドラム挿入しやすくし、電線ドラム２０を収納したドラム架台１を牽引する場合には、前述の接地部３１を地面から離隔するように持ち上げる。また、架台本体２には電線ドラム２０の軸体２１を支持する支持面が形成されて、さらにＶ字状の位置決め支持部６ｂ軸体で軸体２１を静止固定することができる。これによって、ドラム架台を搬送可能とすることができることから、電線ドラム２０の収納及び搬送を廉価な費用で容易に行なうことができる。しかも設置スペースを広く取らないことから、ドラム架台１の保管場所は、狭い場所であっても倉庫として使用することができる。
【００４０】
一方、ドラム架台１を牽引するために補助台車１０を連結して使用する。補助台車１０を連結する際にドラム架台１の架台本体２の前部を持ち上げるように構成しているから容易にドラム架台１を機械内に搬送させることができる。特に、補助台車１０には、可動金具１４を上下動させるための駆動レバー部１５を備え、駆動レバー部１５の回動操作のみで、可動金具に設けられた架台持ち上げ部１７とドラム架台１の上係止部１４１と連結し、上係止部１４１を持ち上げることによって、補助台車の係止板１１４がドラム架台１の下係止部１４２と連結することができるから、簡単な構成で確実に連結でき、しかも、上下の位置で左右各２点の連結によってドラム架台１をバランスよく搬送させることができる。
【００４１】
次に、ワークが電線ケーブル２５を巻装した電線ドラム２０の場合、電線ケーブル２５を巻き戻す際の横振れによる損傷防止を図ることについて説明する。図１１〜１３に示すように、補助台車１０には、電線ケーブル２５を保持する滑車２６を取手１３に設けている。滑車２６は取手１３の両縦支柱１３１、１３１に横架されたシャフト２７に摺動可能に設けられるとともに、電線ケーブル２５を支持する円弧状の凹部２６１と凹部２６１の両端に配置されたフランジ部２６２、２６２を有している。
【００４２】
電線ケーブル２５を測長して所定長さに切断する場合、ドラム架台１に補助台車１０を連結した状態で、電線ケーブル２５を電線ドラム２０から巻き戻す。この巻き戻す際、電線ケーブル２５を滑車２６の凹部２６１に係止させて巻き戻すことになる。電線ケーブル２５を測長して切断するためには、電線ケーブル２５を補助台車１０におけるドラム架台１側と反対の方向に引っ張ることになる。電線ケーブル２５は、通常、電線ドラム２０にトラバース状に巻装されていることから、電線ケーブル２５を巻き戻す方向に引っ張ると電線ケーブルは左右方向に振れながら走行する。電線ケーブル２５は滑車２６に支持されていることによって、電線ケーブル２５の左右方向の振れは滑車２６をシャフト２７上を左右方向に移動させることになる。
【００４３】
従って、電線ケーブル２５の左右方向の振れを滑車２６で吸収できることによって、電線ケーブルの巻き戻しをスムーズに行うとともに、電線ケーブル２５が他部位と干渉して電線ケーブルの被覆を損傷することを防止することができる。
【００４４】
なお、本発明のドラム架台は上記の形態に限定するものではない。例えば、架台本体の開放部は、補助台車が挿入できる幅スペースがあれば、その両端に前壁部を形成することができる。その場合、前壁部の下端部を接地部として形成してもよい。また、補助台車とドラム架台との連結機構は、上記の形態においては、連結の際に、補助台車がドラム架台の前部を持ち上げて第１の連結部と第２の連結部を係止させているが、連結の際に、予めドラム架台の前部を持ち上げた状態にして、第１の連結部と第２の連結部とを連結させるか、あるいは１個の連結部だけで連結させてもよい。
【図面の簡単な説明】
【００４５】
【図１】本発明の一形態のドラム架台を示す斜視図である。
【図２】図１のドラム架台に連結可能な補助台車を示す斜視図である。
【図３】図２におけるドラム架台の要部拡大図である。
【図４】ドラム架台に電線ドラムを収納する状態を示す正面図である。
【図５】ドラム架台に電線ドラムを収納した状態を示す斜視図である。
【図６】ドラム架台に形成された支持面の別の形態を示す簡略正面図である。
【図７】ドラム架台に補助台車を対向させた作用を示す正面図である。
【図８】補助台車における可動金具が下降した状態を示す作用図である。
【図９】補助台車をドラム架台に連結する際の係止直前の状態を示す作用図である。
【図１０】補助台車をドラム架台に連結した状態を示す作用図である。
【図１１】電線ケーブルの巻き戻し状態を示す正面図である。
【図１２】同平面図である。
【図１３】同側面図である。
【符号の説明】
【００４６】
１、ドラム架台
２、架台本体
２ａ、ドラム収納部
３、側壁部
３１、接地部
４、開放部
６、補強板
６ａ、支持面
６ｂ、位置決め支持部
６ｄ、ラック状支持面
６１、下係止部(第１の連結部)
６２、上係止部(第２の連結部)
１０、補助台車
１１４、係止板(第２の連結部)
１３、取手
１４、可動金具
１４２、天井板部
１５、駆動レバー部
１７、架台持ち上げ部
２０、電線ドラム
２１、軸体
２２、ピニオン
２５、電線ケーブル
２６、滑車
２７、シャフト
【図１】
2008094610.tif 000003
【図２】
2008094610.tif 000004
【図３】
2008094610.tif 000005
【図４】
2008094610.tif 000006
【図５】
2008094610.tif 000007
【図６】
2008094610.tif 000008
【図７】
2008094610.tif 000009
【図８】
2008094610.tif 000010
【図９】
2008094610.tif 000011
【図１０】
2008094610.tif 000012
【図１１】
2008094610.tif 000013
【図１２】
2008094610.tif 000014
【図１３】
2008094610.tif 000015